(57)【特許請求の範囲】
【請求項１】
自車位置から目的地までの誘導経路を探索する経路探索手段と、自車位置周辺の地図画面を表示手段に表示するとともに、前記探索された誘導経路を前記地図画面上に表示して経路案内を行う経路案内手段と、を備えたナビゲーション装置において、
事象発生位置を示す情報と、前記事象発生位置を示す情報に関するコンテンツと、前記コンテンツをユーザに提供するための情報提供位置を示す情報と、を含むコンテンツ情報を受信する受信手段と、
前記受信されたコンテンツ情報を記憶する記憶手段と、
前記誘導経路から所定範囲内にある前記情報提供位置を、前記地図画面上に画像情報として表示させる制御手段と、
を備えるナビゲーション装置。
【請求項２】
前記制御手段は、前記誘導経路から所定範囲内にある前記事象発生位置を、前記地図画面上に画像情報として表示させる請求項１に記載のナビゲーション装置。
【請求項３】
前記制御手段は、前記受信された各コンテンツ情報に優先度を設定し、前記受信手段において新たにコンテンツ情報を受信した際に、前記記憶手段に前記受信されたコンテンツ情報を記憶可能な空き領域が存在するか否かを判断し、存在しない場合に、前記受信されたコンテンツ情報及び前記記憶手段に既に記憶されているコンテンツ情報の優先度に基づいて、前記受信されたコンテンツ情報を破棄するか又は前記記憶手段に記憶されている優先度の低いコンテンツ情報を削除する請求項１に記載のナビゲーション装置。
【請求項４】
前記優先度は、前記コンテンツ情報の事象発生位置及び情報提供位置の前記誘導経路からの距離に基づいて設定される請求項３に記載のナビゲーション装置。
【請求項５】
自車位置から目的地までの誘導経路を探索する経路探索手段と、自車位置周辺の地図画面を表示手段に表示するとともに、前記探索された誘導経路を前記地図画面上に表示して経路案内を行う経路案内手段と、を備えたナビゲーション装置における表示方法であって、
事象発生位置を示す情報と、前記事象発生位置を示す情報に関するコンテンツと、前記コンテンツをユーザに提供するための情報提供位置を示す情報と、を含むコンテンツ情報を受信する工程と、
前記受信されたコンテンツ情報を記憶手段に記憶する工程と、
前記誘導経路から所定範囲内にある前記情報提供位置を、前記地図画面上に画像情報として表示させる工程と、
を含む表示方法。
【発明の詳細な説明】
【技術分野】
【０００１】
本発明は、ナビゲーション装置及び表示方法に関する。
【背景技術】
【０００２】
従来、車載用のナビゲーション装置においては、サーバ等の情報提供装置と接続し、その情報提供装置からコンテンツ情報等を取得するものが知られている。例えば、特許文献１には、ＤＳＲＣ（Dedicated Short Range Communication：狭域通信）の基地局を介して情報提供装置と接続し、道路交通情報を受信するナビゲーションシステムが記載されている。
【特許文献１】特開２００７−１３２７４７号公報
【発明の開示】
【発明が解決しようとする課題】
【０００３】
ところで、情報提供装置から受信されるコンテンツ情報には、受信した後１秒以内にナビゲーション装置側で提供する即時型情報と、情報提供位置の位置情報を含み、車両が情報提供位置に到達した際に提供する蓄積型情報と、が存在する。
【０００４】
しかしながら、従来、蓄積型情報は、車両が情報提供位置に到達した際に提供されるだけであった。そのため、ユーザは、情報提供位置に到達するまでは、誘導経路周辺において提供される蓄積型情報が存在するのか否か、また、提供される蓄積型情報によって報知される事象が発生している地点が存在するのか否か等を知ることができなかった。
【０００５】
本発明の課題は、ナビゲーション装置において、誘導経路周辺で提供されるコンテンツ情報の存在をユーザが認識できるようにすることである。
【課題を解決するための手段】
【０００８】
上記課題を解決するため、請求項１に記載の発明は、
自車位置から目的地までの誘導経路を探索する経路探索手段と、自車位置周辺の地図画面を表示手段に表示するとともに、前記探索された誘導経路を前記地図画面上に表示して経路案内を行う経路案内手段と、を備えたナビゲーション装置において、
事象発生位置を示す情報と、前記事象発生位置を示す情報に関するコンテンツと、前記コンテンツをユーザに提供するための情報提供位置を示す情報と、を含むコンテンツ情報を受信する受信手段と、
前記受信されたコンテンツ情報を記憶する記憶手段と、
前記誘導経路から所定範囲内にある前記情報提供位置を、前記地図画面上に画像情報として表示させる制御手段と、
を備える。
【０００９】
請求項２に記載の発明は、請求項１に記載の発明において、
前記制御手段は、前記誘導経路から所定範囲内にある前記事象発生位置を、前記地図画面上に画像情報として表示させる。
【００１１】
請求項３に記載の発明は、請求項１に記載の発明において、
前記制御手段は、前記受信された各コンテンツ情報に優先度を設定し、前記受信手段において新たにコンテンツ情報を受信した際に、前記記憶手段に前記受信されたコンテンツ情報を記憶可能な空き領域が存在するか否かを判断し、存在しない場合に、前記受信されたコンテンツ情報及び前記記憶手段に既に記憶されているコンテンツ情報の優先度に基づいて、前記受信されたコンテンツ情報を破棄するか又は前記記憶手段に記憶されている優先度の低いコンテンツ情報を削除する。
【００１２】
請求項４に記載の発明は、請求項３に記載の発明において、
前記優先度は、前記コンテンツ情報の事象発生位置及び情報提供位置の前記誘導経路からの距離に基づいて設定される。
【００１４】
請求項５に記載の発明は、
自車位置から目的地までの誘導経路を探索する経路探索手段と、自車位置周辺の地図画面を表示手段に表示するとともに、前記探索された誘導経路を前記地図画面上に表示して経路案内を行う経路案内手段と、を備えたナビゲーション装置における表示方法であって、
事象発生位置を示す情報と、前記事象発生位置を示す情報に関するコンテンツと、前記コンテンツをユーザに提供するための情報提供位置を示す情報と、を含むコンテンツ情報を受信する工程と、
前記受信されたコンテンツ情報を記憶手段に記憶する工程と、
前記誘導経路から所定範囲内にある前記情報提供位置を、前記地図画面上に画像情報として表示させる工程と、
を含む。
【発明の効果】
【００１５】
本発明によれば、ナビゲーション装置において、自車位置周辺で提供されるコンテンツ情報の存在をユーザが認識することが可能となる。
【発明を実施するための最良の形態】
【００１６】
以下、添付図面を参照して本発明に係る実施の形態を詳細に説明する。ただし、発明の範囲は、図示例に限定されない。
【００１７】
図１に、ＤＳＲＣシステム１００及びナビゲーション装置２の概要を示す。
ここで、ＤＳＲＣシステムとは、ＩＴＳ(Information & Communication System:道路交通情報通信システム)の一環として導入されたシステムであり、数メートル〜数十メートル程度の限定された通信エリア内で路側無線装置とＤＳＲＣ機能を有する車載器（例えば、ナビゲーション装置等）との間で情報の送受を可能とした通信システムである。
図１に示すように、ＤＳＲＣシステム１００は、ｎ台の路側無線装置１１〜１ｎと、この路側無線装置１１〜１ｎと通信ネットワークＮを介して接続されたサーバ３とを含む。路側無線装置１１〜１ｎは、それぞれＤＳＲＣアンテナ１１ａ〜１ｎａを有する。
【００１８】
路側無線装置１１〜１ｎは、それぞれ道路脇、道路上方、道の駅、駐車場等に設置され、ＤＳＲＣアンテナ１１ａ〜１ｎａから到達距離が極めて限定されたＤＳＲＣの電波を放射して、所定の通信エリア内に停車又は通行する車両に搭載されたＤＳＲＣ機能を有するナビゲーション装置２との間で双方向狭域無線通信を行う。路側無線装置１１〜１ｎは、ＤＳＲＣ専用のＩＰ網等の通信ネットワークＮを介してサーバ３とデータ送受信可能に接続されている。路側無線装置１１〜１ｎは、ナビゲーション装置２との通信が確立すると、接続された旨をサーバ３に通知し、サーバ３からコンテンツ情報を受信してナビゲーション装置２に送信する。
サーバ３は、サービス事業者が管理するサーバであり、情報提供者（道路交通機関、各種施設を運営する企業等）から配信を依頼されたコンテンツ情報（道路交通情報、広告等）を大容量の記憶装置に蓄積しておき、必要に応じて路側無線装置１１〜１ｎと通信接続されたナビゲーション装置２に対して配信する装置である。サーバ３は、ナビゲーション装置２と通信が確立した路側無線装置１１〜１ｎのそれぞれが存在するエリアによって、エリアに応じたコンテンツ情報を配信することができる。
【００１９】
ナビゲーション装置２は、路側無線装置１１〜１ｎとＤＳＲＣに基づく通信を行うためのＤＳＲＣ機能と、ナビゲーション２が搭載された車両（自車）の現在位置や目的地までの経路案内を表示するナビゲーション機能を備えた装置である。
【００２０】
図２に、ナビゲーション装置２の機能構成例を示す。
図２に示すように、ナビゲーション装置２は、制御部２０、操作入力部２１、表示部２２、音声出力部２３、ハードディスク装置２４、受信情報記憶部２５、ＧＰＳ（Global Positioning System）モジュール２６、自律航法ユニット２７、ＶＩＣＳ（Vehicle Information and Communication System）モジュール２８、ＤＳＲＣ送受信部２９等を備えて構成されている。
【００２１】
制御部２０は、ＣＰＵ（Central Processing Unit）、ＲＯＭ（Read Only Memory）、ＲＡＭ（Random Access Memory）等により構成される。制御部２０のＣＰＵは、ＲＯＭに記憶されているシステムプログラムを読み出して実行し、ナビゲーション装置２の各部を駆動制御する。また、ＣＰＵは、操作入力部２１、ＧＰＳモジュール２６、ＶＩＣＳモジュール２８、ＤＳＲＣ送受信部２９等を介して入力される情報に基づいて、ＲＯＭに記憶されている各種処理プログラムを読み出してＲＡＭ内に展開し、展開されたプログラムに従って各種処理を実行する。
【００２２】
例えば、制御部２０は、操作入力部２１を介して目的地が設定され、経路探索が指示されると、経路探索処理を実行し、ハードディスク装置２４に記憶されている地図情報から、ノード（交差点、分岐点、屈曲点といった節点の座標情報）情報とリンク（２つの節点を結ぶ直線経路）情報を含む道路情報を読み出し、読み出した道路情報に基づいて、各種条件に応じた自車の現在位置（自車位置）から目的地までの経路（例えば、標準経路、最短距離の経路、最低料金の経路、最短時間の経路等）を探索する。経路探索処理が終了すると、制御部２０は、探索された経路のうち、経路案内に利用する誘導経路をユーザが選択するための選択画面を表示部２２に表示させ、操作入力部２１からの選択入力に応じて、探索された経路のうち一の経路を経路案内に利用する誘導経路として設定し、経路探索結果としてＲＡＭに記憶する。
【００２３】
また、制御部２０は、操作入力部２１を介して経路案内が指示されると、経路案内処理を実行し、ＧＰＳモジュール２６等から出力される自車位置及び経路探索処理の探索結果に基づいて、ハードディスク装置２４から経路案内に必要なデータ（自車位置付近に関する地図情報、施設情報、案内図データ等）を読み出してＲＡＭに格納し、表示部２２に経路案内を表示したり、経路案内の音声を音声出力部２３から出力したりする。
【００２４】
また、制御部２０は、後述する蓄積型情報アイコン表示処理を実行し、表示部２２に表示されている地図画面上において、ＤＳＲＣ送受信部２９により受信され、受信情報記憶部２５に記憶されているコンテンツ情報の事象発生位置や情報提供位置にアイコンを表示する。なお、本実施の形態においては、コンテンツ情報の事象発生位置や情報提供位置にアイコンを表示する場合を例にとり説明するが、吹き出し、アノテーション（Annotation）、記号、文字等の画像情報を表示することとしてもよい。
【００２５】
ここで、サーバ３から送信されるコンテンツ情報には、即時型情報と蓄積型情報とが存在する。
即時型情報は、受信した後１秒以内にナビゲーション装置２で提供される（再生される）コンテンツ情報である。制御部２０は、ＤＳＲＣ送受信部２９により即時型情報が受信されると、受信された情報をＲＡＭに一時記憶するとともに、直ちに受信された即時型情報のコンテンツを表示部２２及び／又は音声出力部２３により再生する。再生後、即時型情報をＲＡＭから削除する。
【００２６】
一方、蓄積型情報は、ナビゲーション装置２を搭載した車両、即ち自車が予め定められた情報提供位置に到達した際に、画像及び／又は音声により提供されるコンテンツ情報であり、事象発生位置を示す座標情報、コンテンツの提供を行うべき情報提供位置を示す情報を含む。
事象発生位置とは、コンテンツによって報知される事象が発生した地点の位置を指す。例えば、蓄積型情報のコンテンツが或るレストランのランチサービスに関するコンテンツであった場合、事象発生位置は、そのレストランの存在する位置のことを指す。また、蓄積型情報のコンテンツが落石事故に関するコンテンツであった場合、事象発生位置は、落石事故の現場の位置を指す。
情報提供位置は、地点として定められていてもよいし、エリアとして定められていてもよい。本実施の形態においては、蓄積型情報を提供する位置を情報提供エリアとして定めていることとする。
【００２７】
図３に、事象発生位置及び情報提供エリアの関係を示す。図３のＰ１は、地図上における事象発生位置を示す。図３のＡ１〜Ａ４は、事象発生位置Ｐ１に関するコンテンツ情報の情報提供エリアを示す。図３に示すように、情報提供エリアＡ１〜Ａ４は、例えば、事象発生位置Ｐ１に向かう道路上に予め設定されている。これらの情報提供エリアＡ１〜Ａ４は、中心座標Ｏ１〜Ｏ４の情報（緯度経度）、半径Ｒ１〜Ｒ４の情報、車両の進行方向の情報からなる情報提供位置情報で特定される。
【００２８】
制御部２０は、ＤＳＲＣ送受信部２９により蓄積型情報が受信されると、受信された蓄積型情報を受信日時と対応付けてコンテンツ情報記憶部２５１に記憶し、自車が情報提供位置情報により定められた情報提供エリア内に定められた方向から進入したことがＧＰＳモジュール２６や自律航法ユニット２７により検出された際に、受信された蓄積型情報のコンテンツを表示部２２及び／又は音声出力部２３により再生する。図４に、情報提供エリア内で表示部２２により再生されるコンテンツの一例を示す。図４に示すように、情報提供エリア内においては、例えば、コンテンツ２２２が表示部２２に表示された地図画面上にポップアップ表示される。このポップアップ表示と併せて「本日午前１０時より午後４時まで電気工事のため区役所前が片道相互通行になります」等の音声を再生してもよい。また、制御部２０は、図示しないＲＴＣ（Real Time Clock）等の計時回路に接続されており、コンテンツ再生時に計時回路から出力される日時情報を取得して、コンテンツ再生日時を再生した蓄積型情報に対応付けてコンテンツ情報記憶部２５１に記憶する。コンテンツ再生日時は、コンテンツが再生される度に更新される。
【００２９】
操作入力部２１は、方向（上、右上、右、右下、下、左下、左、左上）を指示するための矢印キー、この矢印キーの中央部に配置されたセットキー、数字キー、その他ナビゲーション利用等の各種機能に対応付けられた各種キーを備え、操作されたキーに対する操作信号を制御部２０に出力する。また、操作入力部２１は、表示部２２の画面を覆うように設けられたタッチパネルを備え、電磁誘導式、磁気歪式、感圧式等の座標読み取り原理でタッチ指示された座標を検出し、検出した座標を位置信号として制御部２０に出力する。あるいは、操作入力部２１は、リモコン、マイク等を備える構成としてもよい。
【００３０】
表示部２２は、カラー液晶ディスプレイ等により構成され、制御部２０からの指示に従って表示画面上に地図画面やアイコン、案内図等のナビゲーション用の表示情報を表示する。
【００３１】
音声出力部２３は、テキストデータから音声再生可能な音声データを生成する音声合成部、Ｄ／Ａ変換器、増幅器、スピーカ等を備えて構成され、制御部２０からの指示に従って、音声データをアナログ信号に変換して音声出力する。
【００３２】
ハードディスク装置２４は、地図ＤＢ（Data Base）２４１、案内図ＤＢ２４２、案内音声ＤＢ２４３、施設情報ＤＢ２４４等を有し、ナビゲーション装置２における経路の探索及び経路案内に必要なデータを記憶する。なお、地図ＤＢ（Data Base）２４１、案内図ＤＢ２４２、案内音声ＤＢ２４３、施設情報ＤＢ２４４等の記憶装置としては、ハードディスク装置に限らず、ＣＤ−ＲＯＭ、ＤＶＤ等の記録媒体とこれらの記録媒体から情報を読み出すドライブ等としてもよい。
【００３３】
地図ＤＢ２４１は、道路情報を含む地図情報を格納するデータベースである。道路情報としては、ノード、リンク、各道路の名称、道路の種類を示す種別（高速道路、国道、県道、一般道、幹線道、有料道路等）、道幅、ＩＣ（インターチェンジ）の名称及び地図上の座標情報（緯度経度）、ＳＡ（サービスエリア）の名称及び地図上の座標情報等の情報が含まれる。
【００３４】
案内図ＤＢ２４２は、経路案内のポイントで案内画像を表示するための案内図データ（例えば、交差点拡大図、方面看板、進行方向矢印等の画像データ）を格納するデータベースである。
案内音声ＤＢ２４３は、経路案内に必要なメッセージの音声データを格納するデータベースである。
施設情報ＤＢ２４４は、各種施設の種別情報、施設個別名称、施設アイコン情報（施設の地図上の座標情報、アイコン画像情報を含む）を格納するデータベースである。
【００３５】
受信情報記憶部２５は、半導体メモリ等により構成され、ＤＳＲＣ送受信部２９により路側無線装置１１〜１ｎから受信された蓄積型情報を記憶する。
【００３６】
図５に、本実施の形態において路側無線装置１１〜１ｎから受信される蓄積型情報のデータフォーマットの一例を示す。図５に示すように、蓄積型情報には、コンテンツを画像又は音声により再生するためのコンテンツ実データの他、コンテンツに関する情報が含まれる。コンテンツに関する情報としては、例えば、事業者情報、情報提供者情報、事象発生位置情報、情報提供エリア情報等が挙げられる。
事業者情報は、コンテンツを配信するサービス事業者に関する事業者情報であり、例えば、コンテンツを提供するサービス事業者の事業者コード、事業者名表示用テキスト等が含まれる。
情報提供者情報は、配信される情報（即ち、コンテンツ）を提供する情報提供者に関する情報であり、例えば、情報提供者コード、情報提供者名表示用テキスト、配信される情報の種別を示す情報コード、情報タイトル表示用テキスト、情報の有効期限等が含まれる。
事象発生位置情報は、配信される情報の事象発生位置に関する情報であり、事象発生位置の座標情報（緯度経度）、営業時間を示す営業時間情報（事象発生位置が施設である場合に利用される）、事象発生位置にアイコンを表示するための画像情報であるアイコン画像情報等が含まれる。
情報提供エリア情報は、コンテンツを提供すべき情報提供エリアの位置を示す情報提供位置情報（情報提供エリアの中心座標、中心座標からの半径、進行方向）等が含まれる。なお、情報提供位置情報は複数であってもよい。
【００３７】
ＧＰＳモジュール２６は、図示しないＧＰＳアンテナ等を備えて構成される。このＧＰＳアンテナは、地球低軌道に打ち上げられた複数のＧＰＳ衛星から送信されるＧＰＳ信号を受信する。ＧＰＳアンテナは、少なくとも３個のＧＰＳ衛星から送信されるＧＰＳ信号を受信し、受信したＧＰＳ信号に基づいて車両の絶対的な現在位置（緯度、経度）を検出して、制御部２０に出力する。
【００３８】
自律航法ユニット２７は、角度センサ、距離センサ等を備えて構成される。角度センサは、車の角速度（単位時間あたりの水平方向への回転角度）を検出して、移動方位の変化量を算出する。距離センサは、車輪の回転に応じて出力されるパルス信号を検出して、車両の移動量を算出する。自律航法ユニット２７は、これら角速度信号および車速パルス信号により、車両の相対的な位置変化を算出して制御部２０に出力する。
【００３９】
ＶＩＣＳモジュール２８は、ＦＭ多重放送局等からの放送を、図示しないアンテナを介して受信することによって道路渋滞情報を受信し制御部２０に出力する。または、ＶＩＣＳモジュール２８は、道路上に設置された機器からの光・無線電波を用いたビーコン発信機から放送された道路渋滞情報を受信する構成としてもよい。
【００４０】
ＤＳＲＣ送受信部２９は、ＤＳＲＣアンテナ２９ａを備え、路側無線装置１１〜１ｎとＤＳＲＣに基づく双方向狭域無線通信を行い、路側無線装置１１〜１ｎから配信されるコンテンツ情報を始めとする各種通信情報を受信する。
【００４１】
例えば、ＤＳＲＣ送受信部２９は、路側無線装置１１の通信エリア内に到達すると、路側無線装置１１から放射されるＤＳＲＣの電波を受信して、路側無線装置１１とＤＳＲＣに基づく通信接続処理を行う。路側無線装置１１との通信が確立し、路側無線装置１１からコンテンツ情報を始めとする通信情報が受信されると、受信された通信情報を制御部２０に出力する。路側無線装置１２〜１ｎの通信エリア内に到達した際もＤＳＲＣ送受信部２９は同様の処理をする。
【００４２】
なお、ＤＳＲＣ送受信部２９の内部にメモリを有する構成とし、このメモリにナビゲーション装置２における表示部２２の画面解像度、地図情報の測地系、受信情報記憶部２５の情報格納可能容量等の情報を記憶しておき、路側無線装置１１〜１ｎとの通信開始時にこれらの情報をＤＳＲＣ送受信部２９が路側無線装置１１〜１ｎに通知することで、ナビゲーション装置２に応じたデータを路側無線装置１１〜１ｎから受信することができる。
【００４３】
次に、本実施の形態の動作について説明する。
図６に、制御部２０により実行される蓄積型情報アイコン表示処理を示す。
【００４４】
まず、操作入力部２１の操作に応じて経路探索処理が実行される（ステップＳ１）。次いで、ＧＰＳモジュール２６等から出力される自車位置及び経路探索処理の探索結果である誘導経路（走行ルート）に基づいて経路案内処理が開始される（ステップＳ２）。
【００４５】
次いで、コンテンツ情報記憶部２５１に記憶されている蓄積型情報のデータについて、データ確認処理が実行される（ステップＳ３）。
図７に、ステップＳ３において制御部２０により実行されるデータ確認処理を示す。
まず、コンテンツ情報記憶部２５１に記憶されている蓄積型情報のデータから処理対象となる蓄積型情報のデータが選択される（ステップＳ１０１）。次いで、処理対象の蓄積型情報に情報提供位置情報が含まれているか否かが判断され、情報提供位置情報が含まれていると判断されると（ステップＳ１０２；ＹＥＳ）、その情報提供位置情報が参照され、走行ルートが情報提供エリア内に重なるか否かが判断される。走行ルートが情報提供エリア内に重ならないと判断されると（ステップＳ１０３；ＮＯ）、処理はステップＳ１０５に移行する。走行ルートが情報提供エリア内に重なると判断されると（ステップＳ１０３；ＹＥＳ）、処理対象の蓄積型情報に提供位置表示フラグ１が設定され（ステップＳ１０４）、処理はステップＳ１０７に移行する。
【００４６】
ステップＳ１０５においては、処理対象の蓄積型情報の情報提供位置情報が参照され、情報提供エリアと走行ルートとの距離が予め定められた規定距離Ｌ０以内の箇所が存在するか否かが判断される。情報提供エリアと走行ルートとの距離が規定距離Ｌ０以内の箇所が存在しないと判断されると（ステップＳ１０５；ＮＯ）、処理はステップＳ１０７に移行する。
一方、情報提供エリアと走行ルートとの距離が規定距離Ｌ０以内の箇所が存在すると判断されると（ステップＳ１０５；ＹＥＳ）、処理対象の蓄積型情報に提供位置表示フラグ２が設定され（ステップＳ１０７）、処理はステップＳ１０７に移行する。
【００４７】
ステップＳ１０７においては、処理対象の蓄積型情報の事象発生位置の座標情報が参照され、事象発生位置から予め定められた規定距離Ｌ１の範囲に走行ルートが存在するか否かが判断される。規定距離Ｌ１は、事象発生位置が走行ルート上又は走行ルートに非常に近い（例えば、ルートから数ｍの）距離である。事象発生位置から規定距離Ｌ１の範囲に走行ルートが存在しないと判断されると（ステップＳ１０７；ＮＯ）、処理はステップＳ１０９に移行する。一方、事象発生位置から規定距離Ｌ１の範囲に走行ルートが存在すると判断されると（ステップＳ１０７；ＹＥＳ）、処理対象の蓄積型情報に発生位置表示フラグ１が設定され（ステップＳ１０８）、処理はステップＳ１１１に移行する。
【００４８】
ステップＳ１０９においては、処理対象の蓄積型情報の事象発生位置の座標情報が参照され、事象発生位置から予め定められた規定距離Ｌ２（Ｌ１＜Ｌ２）の範囲に走行ルートが存在するか否かが判断される。事象発生位置から規定距離Ｌ２の範囲に走行ルートが存在しないと判断されると（ステップＳ１０９；ＮＯ）、処理はステップＳ１１１に移行する。一方、事象発生位置から規定距離Ｌ２の範囲に走行ルートが存在すると判断されると（ステップＳ１０９；ＹＥＳ）、処理対象の蓄積型情報に発生位置表示フラグ２が設定され（ステップＳ１１０）、処理はステップＳ１１１に移行する。
【００４９】
ステップＳ１１１においては、設定されたフラグに基づいて処理対象の蓄積型情報に優先度が設定され、処理は図６のステップＳ４に移行する。具体的には、発生位置表示フラグの方が提供位置表示フラグより高い優先度が設定され、フラグは１の方が２よりも高い優先度が設定される。例えば、発生位置表示フラグ１が設定されている蓄積型情報には優先度１が設定され、発生位置表示フラグ２が設定されている蓄積型情報には優先度２が設定され、発生位置表示フラグが設定されておらず提供位置表示フラグ１が設定されている蓄積型情報には優先度３が設定され、発生位置表示フラグが設定されておらず提供位置表示フラグ２が設定されている蓄積型情報には優先度４が設定される。
【００５０】
図６のステップＳ４においては、コンテンツ情報記憶部２５１に記憶されている蓄積型情報の全データについて、データ確認処理が完了したか否かが判断され、終了していないと判断されると（ステップＳ４；ＮＯ）、処理はステップＳ３に戻る。コンテンツ情報記憶部２５１に記憶されている蓄積型情報の全データについて、データ確認処理が完了したと判断されると（ステップＳ４；ＹＥＳ）、処理はステップＳ５に移行する。
【００５１】
ステップＳ５においては、表示部２２における地図画面の更新が行われたか否かが判断され、地図画面の更新が行われていないと判断されると（ステップＳ５；ＮＯ）、処理はステップＳ７に移行する。地図画面の更新が行われたと判断されると（ステップＳ５；ＹＥＳ）、アイコン描画処理が実行される（ステップＳ６）。
【００５２】
図８、図９に、図６のステップＳ６において制御部２０により実行されるアイコン描画処理を示す。
まず、コンテンツ情報記憶部２５１に記憶されている蓄積型情報のデータから処理対象となる蓄積型情報のデータが選択される（ステップＳ２０１）。次いで、処理対象の蓄積型情報に発生位置表示フラグ１又は２が設定されているか否かが判断され、設定されていると判断されると（ステップＳ２０２；ＹＥＳ）、処理はステップＳ２０４に移行し、設定されていないと判断されると（ステップＳ２０２；ＮＯ）、処理はステップＳ２０３に移行する。
【００５３】
ステップＳ２０３においては、処理対象の蓄積型情報に提供位置表示フラグ１又は２が設定されているか否かが判断され、設定されていると判断されると（ステップＳ２０３；ＹＥＳ）、処理はステップＳ２０４に移行し、設定されていないと判断されると（ステップＳ２０３；ＮＯ）、処理はステップＳ２１７に移行する。
【００５４】
ステップＳ２０４においては、処理対象の蓄積型情報の事象発生位置の座標情報が参照され、事象発生位置が表示部２２に現在表示されている地図画面の表示範囲内であるか否かが判断される。事象発生位置が表示部２２に現在表示されている地図画面の表示範囲内でないと判断されると（ステップＳ２０４；ＮＯ）、処理はステップＳ２１１に移行する。事象発生位置が表示部２２に現在表示されている地図画面の表示範囲内であると判断されると（ステップＳ２０４；ＹＥＳ）、当該蓄積型情報の情報提供エリアの位置を示すアイコンが表示部２２の地図画面上に表示されているか否かが判断され、表示されていると判断されると（ステップＳ２０５；ＹＥＳ）、アイコン関連付けデータが取得され（ステップＳ２０６）、処理はステップＳ２０８に移行する。当該蓄積型情報の情報提供エリアの位置を示すアイコンが表示されていないと判断されると（ステップＳ２０５；ＮＯ）、アイコン関連付けデータが作成され（ステップＳ２０７）、処理はステップＳ２０８に移行する。
【００５５】
ここで、アイコン関連付けデータとは、事象発生位置を示すアイコンと、情報提供エリアの位置を示すアイコンとを関連付けて表示するためのデータであり、例えば、アイコンの表示形状、表示色等を規定するデータである。作成されたアイコン関連付けデータは、蓄積型情報に関連付けてＲＡＭに記憶される。  
【００５６】
ステップＳ２０８においては、処理対象の蓄積型情報にアイコン画像情報が含まれているか否かが判断され、アイコン画像情報が含まれていると判断されると（ステップＳ２０８；ＹＥＳ）、表示部２２に表示されている地図画面上の事象発生位置の座標に対応する位置に、当該アイコン画像情報に基づいてアイコンが描画され（ステップＳ２０９）、処理はステップＳ２１１に移行する。処理対象の蓄積型情報にアイコン画像情報が含まれていないと判断されると（ステップＳ２０８；ＮＯ）、地図画面上の事象発生位置の座標に対応する位置に、アイコン関連付けデータに基づいて、事象発生位置を示すアイコンが描画され（ステップＳ２１０）、処理はステップＳ２１１に移行する。
【００５７】
ステップＳ２１１においては、処理対象の蓄積型情報の情報提供位置情報が参照され、情報提供エリアの位置が表示部２２に現在表示されている地図画面の表示範囲内であるか否かが判断される。情報提供エリアの位置が表示部２２に現在表示されている地図画面の表示範囲内でないと判断されると（ステップＳ２１１；ＮＯ）、処理はステップＳ２１７に移行する。処理対象の蓄積型情報における情報提供エリアの位置が表示部２２に現在表示されている地図画面の表示範囲内であると判断されると（ステップＳ２１１；ＹＥＳ）、処理はステップＳ２１２に移行する。
【００５８】
ステップＳ２１２においては、当該蓄積型情報の事象発生位置を示すアイコンが表示部２２の地図画面上に現在表示中であるか否かが判断され、表示中であると判断されると（ステップＳ２１２；ＹＥＳ）、アイコン関連付けデータが取得され（ステップＳ２１４）、処理はステップＳ２１６に移行する。当該蓄積型情報の事象発生位置を示すアイコンが表示部２２の地図画面上に現在表示中ではないと判断されると（ステップＳ２１２；ＮＯ）、当該蓄積型情報の情報提供エリアの少なくとも一つを示すアイコンが現在表示部２２の地図画面上に表示中であるか否かが判断され、表示中であると判断されると（ステップＳ２１３；ＹＥＳ）、アイコン関連付けデータが取得され（ステップＳ２１４）、処理はステップＳ２１６に移行する。当該蓄積型情報の情報提供エリアを示すアイコンが何れも現在表示部２２の地図画面上に表示中ではないと判断されると（ステップＳ２１３；ＮＯ）、アイコン関連付けデータが作成され（ステップＳ２１５）、処理はステップＳ２１６に移行する。
【００５９】
ステップＳ２１６においては、アイコン関連付けデータに基づいて、地図画面上の情報提供エリアに対応する位置（例えば、情報提供エリアの中心座標に対応する位置）に情報提供エリアを示すアイコンが描画され、処理はステップＳ２１７に移行する。なお、処理対象の蓄積型情報に情報提供エリアの位置を示す複数の情報提供位置情報が含まれており、地図画面の表示範囲内に複数の情報提供エリアの中心座標が含まれる場合は、複数のアイコンが表示される。
【００６０】
ステップＳ２１７においては、コンテンツ情報記憶部２５１に記憶されている蓄積型情報の全データについて、アイコン描画処理が完了したか否かが判断され、完了していないと判断されると（ステップＳ２１７；ＮＯ）、処理はステップＳ２０１に戻る。コンテンツ情報記憶部２５１に記憶されている蓄積型情報の全データについて、アイコン描画処理が完了したと判断されると（ステップＳ２１７；ＹＥＳ）、処理は図６のステップＳ７に移行する。
【００６１】
図６のステップＳ７においては、ＤＳＲＣ送受信部２９により路側無線装置１１〜１ｎから新たな蓄積型情報が受信されたか否かが判断され、受信されていないと判断されると（ステップＳ７；ＮＯ）、処理はステップＳ１２に移行する。ＤＳＲＣ送受信部２９により路側無線装置１１〜１ｎから新たな蓄積型情報が受信されたと判断されると（ステップＳ７；ＹＥＳ）、受信された蓄積型情報についてデータ確認処理が実行される（ステップＳ８）。データ確認処理は、図７に示した処理と同様である。
【００６２】
次いで、コンテンツ情報記憶部２５１に新規に受信された蓄積型情報を記憶可能な空き領域があるか否かが判断され、空き領域があると判断されると（ステップＳ９；ＹＥＳ）、新規に受信された蓄積型情報がコンテンツ情報記憶部２５１に保存（記憶）され（ステップＳ１０）、処理はステップＳ１２に移行する。新規に受信された蓄積型情報を記憶可能な空き領域がないと判断されると（ステップＳ９；ＮＯ）、データ入れ替え処理が実行される（ステップＳ１１）。
【００６３】
図１０に、図６のステップＳ１１において制御部２０により実行されるデータ入れ替え処理を示す。
データ入れ替え処理においては、まず、コンテンツ情報記憶部２５１に今回新規に受信した蓄積型情報より優先度が低い蓄積型情報が存在するか否かが判断される。ここでいう蓄積型情報の優先度は、図７のステップＳ１１１で設定された優先度である。コンテンツ情報記憶部２５１に今回受信した蓄積型情報より優先度が低い蓄積型情報が存在しないと判断されると（ステップＳ３０１；ＮＯ）、新規に受信された蓄積型情報が破棄され（ステップＳ３０２）、処理は図６のステップＳ１２に移行する。
【００６４】
一方、コンテンツ情報記憶部２５１に新規に受信した蓄積型情報より優先度が低い蓄積型情報が存在すると判断されると（ステップＳ３０１；ＹＥＳ）、該当する蓄積型情報の有効期限がチェックされ（ステップＳ３０３）、最短で有効期限が切れる蓄積型情報がピックアップされる（ステップＳ３０４）。
【００６５】
ステップＳ３０４において、一つの蓄積型情報がピックアップされた場合（ステップＳ３０５；ＮＯ）、ピックアップされた蓄積型情報のデータがコンテンツ情報記憶部２５１から削除され（ステップＳ３１１）、処理はステップＳ３１２に移行する。
【００６６】
ステップＳ３０４において、複数の蓄積型情報がピックアップされた場合（ステップＳ３０５；ＹＥＳ）、ピックアップされた蓄積型情報のコンテンツ再生日時がチェックされ（ステップＳ３０６）、コンテンツ再生日時が最も古い蓄積型情報がピックアップされる（ステップＳ３０７）。
【００６７】
ステップＳ３０７において、一つの蓄積型情報がピックアップされた場合（ステップＳ３０８；ＮＯ）、ピックアップされた蓄積型情報がコンテンツ情報記憶部２５１から削除され（ステップＳ３１１）、処理はステップＳ３１２に移行する。
【００６８】
ステップＳ３０７において、複数の蓄積型情報がピックアップされた場合（ステップＳ３０８；ＹＥＳ）、ピックアップされた蓄積型情報の受信日時がチェックされ（ステップＳ３０９）、受信日時が最も古い蓄積型情報がピックアップされる（ステップＳ３１０）。そして、ピックアップされた蓄積型情報がコンテンツ情報記憶部２５１から削除され（ステップＳ３１１）、処理はステップＳ３１２に移行する。
【００６９】
ステップＳ３１２においては、コンテンツ情報記憶部２５１に新規に受信された蓄積型情報を記憶する容量が確保できたか否かが判断され、確保できていないと判断されると（ステップＳ３１２；ＮＯ）、処理はステップＳ３０１に戻る。コンテンツ情報記憶部２５１に新規に受信された蓄積型情報を記憶する容量が確保できたと判断されると（ステップＳ３１２；ＹＥＳ）、今回新規に受信された蓄積型情報がコンテンツ情報記憶部２５１に保存（記憶）され（ステップＳ３１３）、処理は図６のステップＳ１２に移行する。
【００７０】
図６のステップＳ１２においては、ＧＰＳモジュール２６等からの出力に基づいて、目的地に到着したか否かが判断され、目的地に到着していないと判断されると（ステップＳ１２；ＮＯ）、処理はステップＳ５に戻る。目的地に到着したと判断されると（ステップＳ１２；ＹＥＳ）、操作入力部２１により経路再探索の指示が入力されたか否かが判断され、経路再探索が指示されたと判断されると（ステップＳ１３；ＹＥＳ）、処理はステップＳ１に戻る。操作入力部２１により経路再探索の指示が入力されていないと判断されると（ステップＳ１３；ＮＯ）、本処理は終了する。
【００７１】
以上説明したように、ナビゲーション装置２によれば、路側無線装置１１〜１ｎから受信された事象発生位置を示す情報及び情報提供位置を示す情報を含む蓄積型情報をコンテンツ情報記憶部２５１に記憶し、事象発生位置が誘導経路から所定範囲内にある蓄積型情報がコンテンツ情報記憶部２５１に記憶されている場合に、その事象発生位置を示すアイコンを地図画面上に表示する。
【００７２】
従って、ユーザは、誘導経路の周辺に、提供されるコンテンツ情報の事象発生位置が存在することを認識することが可能となる。
【００７３】
また、ナビゲーション装置２によれば、路側無線装置１１〜１ｎから受信された事象発生位置を示す情報及び情報提供位置を示す情報を含む蓄積型情報をコンテンツ情報記憶部２５１に記憶し、情報提供位置が誘導経路から所定範囲内にある蓄積型情報がコンテンツ情報記憶部２５１に記憶されている場合に、その事象発生位置を示すアイコンを地図画面上に表示する。
【００７４】
従って、ユーザは、誘導経路の周辺に情報提供位置が存在するコンテンツ情報の事象発生位置を地図画面上で認識することが可能となる。
【００７５】
また、ナビゲーション装置２によれば、情報提供位置が誘導経路から所定範囲内にある蓄積型情報がコンテンツ情報記憶部２５１に記憶されている場合に、その情報提供位置を示すアイコンを地図画面上に表示する。
【００７６】
従って、ユーザは、誘導経路の周辺に、コンテンツ情報を提供する情報提供位置が存在することを地図画面上で認識することが可能となる。
【００７７】
また、ナビゲーション装置２によれば、事象発生位置が誘導経路から所定範囲内にある蓄積型情報がコンテンツ情報記憶部２５１に記憶されている場合に、その情報提供位置を示すアイコンを地図画面上に表示する。
【００７８】
従って、ユーザは、誘導経路の周辺に事象発生位置が存在するコンテンツ情報の情報提供位置を地図画面上で認識することが可能となる。
【００７９】
また、ナビゲーション装置２によれば、受信された各コンテンツ情報に事象発生位置及び情報提供位置の誘導経路からの距離に基づいて優先度を設定しておき、新たにコンテンツ情報を受信した際に、コンテンツ情報記憶部２５１に受信された新たなコンテンツ情報を記憶可能な空き領域が存在するか否かを判断し、存在しない場合に、受信されたコンテンツ情報及びコンテンツ情報記憶部２５１に既に記憶されているコンテンツ情報の優先度に基づいて、受信されたコンテンツ情報を破棄するか又はコンテンツ情報記憶部２５１に記憶されている何れかのコンテンツ情報を削除する。
【００８０】
従って、コンテンツ情報記憶部２５１の記憶容量が不足しても、蓄積型情報の事象発生位置及び情報提供位置の誘導経路からの距離に基づいて設定された優先度の高い蓄積型情報を残しておき、ユーザに提供することが可能となる。
【００８１】
なお、上記実施の形態における記述は、本発明に係るナビゲーション装置の一例であり、これに限定されるものではない。
【００８２】
例えば、上記実施の形態では、ＤＳＲＣに基づく通信により蓄積型情報を受信することとして説明したが、これに限定されず、例えば、無線ＬＡＮ（Local Area Network）、パケット通信等により受信する構成としてもよい。
【００８３】
その他、上記実施の形態におけるナビゲーション装置２の細部構成及び詳細動作に関しても、本発明の趣旨を逸脱しない範囲で適宜変更可能である。
【図面の簡単な説明】
【００８４】
【図１】本発明に係る実施の形態のＤＳＲＣシステム及びナビゲーション装置の概要を示す図である。
【図２】図１のナビゲーション装置の機能的構成を示すブロック図である。
【図３】コンテンツ情報の事象発生位置及び情報提供エリアを説明するための図である。
【図４】情報提供エリア内で表示部により再生されるコンテンツの一例を示す図である。
【図５】図１のサーバから配信されるコンテンツ情報のデータフォーマットの一例を示す図である。
【図６】図２の制御部により実行される蓄積型情報アイコン表示処理を示すフローチャートである。
【図７】図２の制御部により実行されるデータ確認処理を示すフローチャートである。
【図８】図２の制御部により実行されるアイコン描画処理を示すフローチャートである。
【図９】図２の制御部により実行されるアイコン描画処理を示すフローチャートである。
【図１０】図２の制御部により実行される蓄積型情報入れ替え処理を示すフローチャートである。
【符号の説明】
【００８５】
１００  ＤＳＲＣシステム
１１〜１ｎ  路側無線装置
２  ナビゲーション装置
３  サーバ
２０  制御部
２１  操作入力部
２２  表示部
２３  音声出力部
２４  ハードディスク装置
２４１  地図ＤＢ
２４２  案内図ＤＢ
２４３  案内音声ＤＢ
２４４  施設情報ＤＢ
２５  受信情報記憶部
２５１  コンテンツ情報記憶部
２６  ＧＰＳモジュール
２７  自律航法ユニット
２８  ＶＩＣＳモジュール
２９  ＤＳＲＣ送受信部
【図１】
0005104184.tif 000002
【図２】
0005104184.tif 000003
【図３】
0005104184.tif 000004
【図４】
0005104184.tif 000005
【図５】
0005104184.tif 000006
【図６】
0005104184.tif 000007
【図７】
0005104184.tif 000008
【図８】
0005104184.tif 000009
【図９】
0005104184.tif 000010
【図１０】
0005104184.tif 000011